(57)【要約】【課題】マッサージをより容易且つ効率的に行うことが可能な構造のマッサージ容器を提供する。【解決手段】マッサージ容器１００は、液体を貯留する樹脂製の容器本体１０と、容器本体１０の口頸部に装着されているキャップ部３０と、を備えるマッサージ容器１００であって、容器本体１０において口頸部に隣接している部分であって口頸部の軸方向に延在している小径部１２と、容器本体１０における口頸部側とは反対側の部分により構成されていて小径部１２よりも大径の大径部１３と、を備え、容器本体１０は、口頸部の軸方向に対して直交する第１方向における幅寸法よりも、第１方向に対して直交する第２方向における幅寸法の方が大きな扁平形状であり、第２方向において対向する大径部１３の一対の側部（第１側部１６、第２側部１７）のうち少なくとも一方に、突出高さが１ｍｍ以上３０ｍｍ以下の突起部２０が形成されている。【選択図】図１
2019030355.tif 000002
【特許請求の範囲】
【請求項１】
口頸部を有していて液体を貯留する樹脂製の容器本体と、
前記容器本体の前記口頸部に装着されているキャップ部と、
を備えるマッサージ容器であって、
前記容器本体において前記口頸部に隣接している部分であって前記口頸部の軸方向に延在している小径部と、
前記容器本体における前記口頸部側とは反対側の部分により構成されていて前記小径部よりも大径の大径部と、
を備え、
前記容器本体は、少なくとも前記大径部においては、前記口頸部の軸方向に対して直交する第１方向における幅寸法よりも、前記軸方向と前記第１方向との双方に対して直交する第２方向における幅寸法の方が大きな、扁平形状に形成されており、
前記第２方向において対向する前記大径部の一対の側部のうち少なくとも一方に、突出高さが１ｍｍ以上３０ｍｍ以下の突起部が形成されているマッサージ容器。
【請求項２】
前記突起部の頂部が凸曲面形状である請求項１に記載のマッサージ容器。
【請求項３】
前記大径部の一の前記側部に２個以上の前記突起部が形成されている請求項１又は２に記載のマッサージ容器。
【請求項４】
前記２個以上の前記突起部には、前記軸方向において互いに異なる位置に配置されている複数の前記突起部が含まれており、これら複数の突起部の突出方向が放射状となっている請求項３に記載のマッサージ容器。
【請求項５】
前記容器本体の内面において前記突起部と対応する位置には、前記突起部と対応する形状の凹部が形成されている請求項４に記載のマッサージ容器。
【請求項６】
前記小径部には、当該小径部の周方向に延在している突条が形成されている請求項１から５のいずれか一項に記載のマッサージ容器。
【請求項７】
前記大径部の前記一対の側部の双方に前記突起部が形成されており、
前記一対の側部のうち一方の前記側部に形成されている前記突起部の形状と、他方の前記側部に形成されている前記突起部の形状と、が互いに異なっている請求項１から６のいずれか一項に記載のマッサージ容器。
【請求項８】
当該マッサージ容器を用いたマッサージの際に使用者が把持可能な把持部が、少なくとも前記小径部を含んで構成されており、
前記把持部の外面には、把持の仕方を示す標示部が付されている請求項１から７のいずれか一項に記載のマッサージ容器。
【請求項９】
前記キャップ部は、
前記液体を吐出可能な吐出口を有していて前記口頸部に装着される装着部と、
前記装着部に対して開閉可能にヒンジ部を介して連結されていて閉状態では前記吐出口を閉塞するヒンジキャップ部と、
を備え、
前記ヒンジ部の軸方向が前記第２方向に延在している請求項１から８のいずれか一項に記載のマッサージ容器。
【請求項１０】
請求項１から９のいずれか一項に記載のマッサージ容器と、
前記容器本体に貯留されている前記液体と、
を備え、
前記液体は、マッサージ剤であり、
前記マッサージ剤は、感覚剤を含有し、希釈前の２５℃での粘度が５００ｍＰａ・ｓ以上３０００００ｍＰａ・ｓ以下であり、水により２倍に希釈したときには２５℃での粘度が低下して５０ｍＰａ・ｓ以上１５０００ｍＰａ・ｓ以下となる液体詰めマッサージ容器。
【請求項１１】
前記マッサージ剤の比重が１．１以上である請求項１０に記載の液体詰めマッサージ容器。
【発明の詳細な説明】
【技術分野】
【０００１】
本発明は、マッサージ容器に関する。
【背景技術】
【０００２】
容器自体をマッサージに用いることが可能なタイプの容器として、特許文献１に記載のプラスチックマッサージボトルがある。
特許文献１のプラスチックマッサージボトルは、キャップによって開閉される注入口を有する口頸部と、口頸部から延長される肩部と、ボディ部と、底部と、当該プラスチックマッサージボトルで身体を叩いたり加圧したりしたときに身体にマッサージ圧力を加える複数の突起と、を備えている。
【０００３】
なお、シャンプーの容器の側面には、リンス、コンディショナー又はボディーソープの容器との識別用の突起部が形成されている。しかし、この突起部は、ＪＩＳ規格（ＪＩＳ  Ｓ  ００２１、ＪＩＳ  Ｓ  ００２２−３）で規定されているように、突出高さが僅か０．４ｍｍであり、当該突起部によりマッサージ効果を得ることは困難である。
【先行技術文献】
【特許文献】
【０００４】
【特許文献１】特表２００４−５３４６２９号公報
【発明の概要】
【発明が解決しようとする課題】
【０００５】
本願発明者等の検討によれば、特許文献１のプラスチックマッサージボトルでは、マッサージのしやすさ及び効率性に関し、なお改善の余地がある。
【０００６】
本発明は、マッサージをより容易且つ効率的に行うことが可能な構造のマッサージ容器に関する。
【課題を解決するための手段】
【０００７】
本発明は、口頸部を有していて液体を貯留する樹脂製の容器本体と、
前記容器本体の前記口頸部に装着されているキャップ部と、
を備えるマッサージ容器であって、
前記容器本体において前記口頸部に隣接している部分であって前記口頸部の軸方向に延在している小径部と、
前記容器本体における前記口頸部側とは反対側の部分により構成されていて前記小径部よりも大径の大径部と、
を備え、
前記容器本体は、少なくとも前記大径部においては、前記口頸部の軸方向に対して直交する第１方向における幅寸法よりも、前記軸方向と前記第１方向との双方に対して直交する第２方向における幅寸法の方が大きな、扁平形状に形成されており、
前記第２方向において対向する前記大径部の一対の側部のうち少なくとも一方に、突出高さが１ｍｍ以上３０ｍｍ以下の突起部が形成されているマッサージ容器に関する。
【発明の効果】
【０００８】
本発明によれば、マッサージをより容易且つ効率的に行うことが可能である。
【図面の簡単な説明】
【０００９】
【図１】第１実施形態に係るマッサージ容器の正面図である。
【図２】第１実施形態に係るマッサージ容器の右側面図である。
【図３】第１実施形態に係るマッサージ容器の正面断面図（図２のＡ−Ａ線に沿った断面図）である。
【図４】図４（ａ）は第１実施形態に係るマッサージ容器の平面図、図４（ｂ）は第１実施形態に係るマッサージ容器の底面図である。
【図５】図３の部分拡大図である。
【図６】第１実施形態に係るマッサージ容器の使用態様の一例を示す図である。
【図７】突起部の形状の変形例を示す断面図である。
【図８】第２実施形態に係るマッサージ容器の正面図である。
【図９】第２実施形態に係るマッサージ容器の右側面図である。
【図１０】第３実施形態に係るマッサージ容器の右側面図である。
【発明を実施するための形態】
【００１０】
以下、本発明の好ましい実施形態について、図面を用いて説明する。なお、すべての図面において、同様の構成要素には同一の符号を付し、重複する説明は適宜に省略する。
【００１１】
〔第１実施形態〕
先ず、図１から図６を用いて第１実施形態に係るマッサージ容器１００について説明する。
本実施形態に係るマッサージ容器１００は、口頸部１１（図３）を有していて液体５０（図３）を貯留する樹脂製の容器本体１０と、容器本体１０の口頸部１１に装着されているキャップ部３０と、を備える。
マッサージ容器１００は、容器本体１０において口頸部１１に隣接している部分であって口頸部１１の軸方向に延在している小径部１２と、容器本体１０における口頸部１１側とは反対側の部分により構成されていて小径部１２よりも大径の大径部１３と、を備えている。
容器本体１０は、少なくとも大径部１３においては、口頸部１１の軸方向に対して直交する第１方向における幅寸法よりも、口頸部１１の軸方向と第１方向との双方に対して直交する第２方向における幅寸法の方が大きな、扁平形状に形成されている。すなわち、図１及び図３における奥行き方向（図２における左右方向）が第１方向であり、図１及び図３における左右方向（図２における奥行き方向）が第２方向である。
第２方向において対向する大径部１３の一対の側部（第１側部１６、第２側部１７）のうち少なくとも一方に、突出高さが１ｍｍ以上３０ｍｍ以下の突起部２０が形成されている。
ここで、突起部２０の突出高さは、以下のように定義することができる。
図５は、突起部２０の頂点２４を通り、第２方向に対して平行な平面で容器本体１０を切断した断面である。図５において、立ち上がり位置２３は、大径部１３の外面のうち突起部２０とそれ以外の部分との境界である。立ち上がり位置２３は、大径部１３の外面のうち突起部２０とそれ以外の部分との境界に存在する変曲点である。直線Ｌ１は、一の突起部２０について、図５に示す断面における２つの立ち上がり位置２３を結ぶ直線である。突起部２０の突出高さＴは、直線Ｌ１から頂点２４までの距離である。
【００１２】
このような構成のマッサージ容器１００によれば、使用者が、小径部１２を把持するなどして、軽擦法、強擦法、打突法（叩打法）、圧迫法といった各種のマッサージ法によるマッサージを容易且つ効率的に行うことができる。
すなわち、大径部１３における幅狭の部位である一対の側部（第１側部１６又は第２側部１７）の少なくとも一方に形成された突起部２０が皮膚に当たるようにしてマッサージを行うことにより、皮膚に付与される力を狭い範囲に集中させることができる。
しかも、大径部１３において最も大きく側方に張り出した部位である一対の側部（第１側部１６又は第２側部１７）の少なくとも一方に形成された突起部２０から効率的に皮膚に力を伝達してマッサージを行うことができる。
ここで、軽擦（けいさつ）とは、軽く擦ったり、軽くなでたりすることである。また、強擦（きょうさつ）とは、強く擦ったり、強くなでたりすることである。また、打突（叩打（こうだ））とは、軽く叩いたり、軽く突いたりすることである。圧迫とは、押すことである。
【００１３】
以下、詳細に説明する。
なお、本実施形態の場合、マッサージ容器１００は、水平な載置面上に後述する底部１８を載置した状態で自立可能な自立容器である。このため、本実施形態において、マッサージ容器１００の各構成要素の位置関係（上下関係等）の説明は、特に断りのない場合は、マッサージ容器１００が自立した状態での位置関係を説明したものである。
また、図１及び図３における紙面の手前側（図２における左側）を前方、図１及び図３における紙面の奥側（図２における右側）を後方といい、図１及び図３における紙面の奥行き方向（図２における左右方向）を前後方向という。前後方向は、上記の第１方向である。また、図１及び図３における左右方向を横幅方向という場合がある。左右方向は、上記の第２方向である。
【００１４】
マッサージ容器１００は、例えば、容器本体１０と、キャップ部３０と、により構成されている。なお、マッサージ容器１００は、容器本体１０の外周囲に設けられたシュリンクフィルム（シュリンクラベル）（不図示）を備えていてもよい。また、マッサージ容器１００は、容器本体１０に貼り付けられたラベルを備えていてもよい。
【００１５】
容器本体１０は、口頸部１１と、小径部１２と、大径部１３と、を備えて構成されている。口頸部１１、小径部１２、大径部１３は、それぞれ中空形状である。口頸部１１の下側に小径部１２が連なって形成されていて、口頸部１１の内部空間と小径部１２の内部空間とが相互に連通している。また、小径部１２の下側に大径部１３が連なって形成されていて、小径部１２の内部空間と大径部１３の内部空間とが相互に連通している。
口頸部１１は円筒状に形成されている。口頸部１１の外周面にはねじ山が形成されており、口頸部１１は雄ねじ形状に形成されている。口頸部１１の上端には開口１１ａが形成されている。
大径部１３の下端には底部１８が形成されており、底部１８によって大径部１３の下端が閉塞されている。
【００１６】
大径部１３は、第１主面部１４と、第１主面部１４に対して対向して配置されている第２主面部１５（図２、図４（ａ）、図４（ｂ））と、第１主面部１４と第２主面部１５との一側端（左端）どうしを繋いでいる第１側部１６と、第１主面部１４と第２主面部１５との他側端（右端）どうしを繋いでいる第２側部１７と、を有している。
そして、第１主面部１４と第２主面部１５との対向間隔よりも、第１側部１６と第２側部１７との対向間隔の方が広い。つまり、大径部１３は、第１方向（前後方向）における幅寸法よりも、第２方向（左右方向）における幅寸法の方が大きい。
大径部１３には突起部２０が形成されている。なお、大径部１３は、大径部１３における突起部２０以外の部分（以下、大径基部と称する）と、突起部２０とにより構成されている。
【００１７】
図１及び図２に示すように、小径部１２は、例えば、略円筒状に形成されている。本実施形態の場合、詳細には、横幅方向における小径部１２の寸法よりも、前後方向における小径部１２の寸法の方が若干大きく設定されている。
例えば、容器本体１０における口頸部１１側に位置している部分において、周長（口頸部１１の軸周りにおける容器本体１０の外周面の長さ）が１６０ｍｍ以下の部分を小径部１２とすることができる。
【００１８】
図１に示すように、横幅方向における大径基部の寸法は、大径部１３と小径部１２との境界部から下方に向けて徐々に左右両側に拡大している。
また、大径部１３の下部では、横幅方向における大径基部の寸法が、下方に向けて徐々に縮小している。
本実施形態の場合、大径部１３の下端の横幅方向における寸法は、横幅方向における小径部１２の最大寸法よりも大きい。
横幅方向における大径部１３（突起部２０を含む大径部１３全体）の最大寸法は、横幅方向における小径部１２の最大寸法の１．５倍以上であることが好ましく、２倍以上であることがより好ましい。
図２に示すように、大径部１３の前後方向の寸法は、下方に向けて僅かに拡大している。ただし、前後方向における大径部１３の最大寸法は、前後方向における小径部１２の最大寸法よりも若干大きい程度に設定されている。例えば、前後方向における大径部１３の最大寸法は、前後方向における小径部１２の最大寸法の１．２倍以下に設定されている。
本実施形態において、大径部１３が小径部１２よりも大径であるとは、横幅方向において、大径部１３の寸法が小径部１２の寸法よりも大きいことを意味している。
【００１９】
容器本体１０を正面視したときの容器本体１０の左右の輪郭（ここでは、容器本体１０における突起部２０以外の部分の輪郭）は、小径部１２及び大径部１３に亘って連続的な滑らかな曲線となっている。
また、容器本体１０を側面視したときの容器本体１０の前後の輪郭は、小径部１２及び大径部１３に亘って連続的な滑らかな曲線となっている。
【００２０】
小径部１２には、当該小径部１２の周方向に延在している突条１９が形成されている。
突条１９は、例えば、小径部１２の上端に配置されている。本実施形態の場合、突条１９は、小径部１２の周囲を３６０度周回している。ただし、本発明は、この例に限らず、突条１９は、小径部１２の周方向における一部の領域に形成されていてもよい。また、小径部１２の周方向において複数の突条１９が間欠的に形成されていてもよい。
小径部１２に突条１９が形成されていることによって、突条１９が滑り止めとして機能する。このため、突条１９を把持する手にジェル状などの液体５０が付着していても、小径部１２を手で安定的に把持することができる。
【００２１】
容器本体１０において、口頸部１１の外周面に形成されたねじ山を除く部分は、例えば、左右対称且つ前後対称に形成されている。
【００２２】
突起部２０による十分なマッサージ効果を得られるように、突起部２０の突出高さは、３ｍｍ以上であることが好ましい。また、突起部２０によるマッサージの強さを適度に抑制できるように、突起部２０の突出高さは、３０ｍｍ以下であることが好ましい。
【００２３】
突起部２０の頂部は、凸曲面形状であることが好ましい。すなわち、突起部２０の先端は、尖っておらず、丸みを帯びた形状であることが好ましい。このようにすることによって、突起部２０で皮膚をマッサージする際の触感をソフトにすることができる。
突起部２０の頂部の形状としては、半球状の形状などの三次曲面形状や、半筒状の形状などの二次曲面などが挙げられる。
本実施形態の場合、突起部２０は、球を半径未満の高さで切り取った形状となっている。
【００２４】
突起部２０の突出方向に突起部２０を視たときの突起部２０の外径は、特に限定されないが、例えば、１ｍｍ以上５０ｍｍ以下とすることができ、好ましくは、３ｍｍ以上３０ｍｍ以下、より好ましくは５ｍｍ以上である。
【００２５】
突起部２０は、第１側部１６又は第２側部１７の少なくとも一方に形成されており、例えば、第１主面部１４及び第２主面部１５には形成されていない。また、突起部２０は、例えば、小径部１２には形成されていない。
【００２６】
マッサージ容器１００が備える突起部２０の数は、１個でもよいが、２個以上であることが好ましい。
マッサージ容器１００が複数の突起部２０を備えている場合、個々の突起部２０が互いに離間して配置されている（スポット状の配置となっている）ことが好ましい。
一の側部（第１側部１６又は第２側部１７）に複数の突起部２０が配置されており、且つ、これら突起部２０どうしが互いに離間している場合、突起部２０を皮膚に当てた状態でこれら突起部２０の並び方向にマッサージ容器１００を皮膚に対して相対移動させることによって、断続的に皮膚に振動を与えつつマッサージを行うことができる。
隣り合う突起部２０の頂点どうしの間隔は、１０ｍｍ以上であることが好ましく、１５ｍｍ以上であることが更に好ましい。このようにすることによって、マッサージ容器１００を突起部２０の並び方向に動かして突起部２０を順次にマッサージ部位に当てた際に、個々の突起部２０を別々に感じるようにできる。隣り合う突起部２０の頂点どうしの間隔は、５０ｍｍ以下であることが好ましく、３０ｍｍ以下であることが更に好ましい。
また、隣り合う突起部２０どうしの間隔は、１ｍｍ以上であることが好ましく、２ｍｍ以上であることが更に好ましい。また、隣り合う突起部２０どうしの間隔は、５０ｍｍ以下であることが好ましく、３０ｍｍ以下であることが更に好ましい。
【００２７】
本実施形態の場合、大径部１３の一の側部に２個以上の突起部２０が形成されている。
このため、大径部１３の一の側部を皮膚に押し当ててマッサージを行う際に、複数の突起部２０により順次に、又は、一度にマッサージを行うことができ、マッサージの効果を一層高めることができる。
【００２８】
本実施形態の場合、大径部１３の一対の側部の各々（第１側部１６及び第２側部１７の各々）に突起部２０が形成されている。
このため、マッサージ容器１００を一方の手（例えば右手）から他方の手（例えば左手）に持ち替える際に、マッサージ容器１００を口頸部１１の軸周りに回転させなくても、第１側部１６の突起部２０又は第２側部１７の突起部２０が皮膚に当たるようにしてマッサージを容易に行うことができる。
本実施形態の場合、大径部１３の一対の側部の各々（第１側部１６及び第２側部１７の各々）に、３個ずつの突起部２０が形成されている。
ただし、本発明は、この例に限らず、大径部１３の一対の側部のうち一方にのみ突起部２０が形成されていてもよい。
【００２９】
また、大径部１３の一の側部に形成されている２個以上の突起部２０には、口頸部１１の軸方向において互いに異なる位置に配置されている複数の突起部２０が含まれている。
そして、これら複数の突起部２０の突出方向が放射状となっている。
本実施形態の場合、第１側部１６及び第２側部１７の各々において、３つの突起部２０が、口頸部１１の軸方向において互いに異なる位置に配置されており、これら３つの突起部２０の突出方向が放射状となっている。図１においては、第２側部１７に形成された３つの突起部２０の突出方向（突出方向Ｄ１、Ｄ２、Ｄ３）をそれぞれ一点鎖線の矢印で示しており、これら３つの方向が放射状となっている。第１側部１６に形成された突起部２０の突出方向についても同様である。
このため、使用者が手でマッサージ容器１００を把持し、肘を支点として腕の肘から先の部位を旋回させる自然な動作、すなわちマッサージ容器１００を弧状に動かす動作で軽擦法又は強擦法によりマッサージを行う際に、一の側部（第１側部１６又は第２側部１７）に配置されている複数の突起部２０により順次にマッサージを行うことができる。
【００３０】
より詳細には、第１側部１６及び第２側部１７の各々において、３つの突起部２０が、第１側部１６及び第２側部１７の曲面に沿って弧状に並んで配置されている。
このため、使用者が手でマッサージ容器１００を把持し、マッサージ容器１００を弧状に動かす動作で軽擦法又は強擦法によりマッサージを行う際に、一の側部（第１側部１６又は第２側部１７）に弧状に並んで配置されている複数の突起部２０によって、互いに同じ強さで順次にマッサージを行うことができる。
【００３１】
また、図３に示すように、容器本体１０の内面において突起部２０と対応する位置には、突起部２０と対応する形状の凹部２１が形成されている。
このため、マッサージ容器１００を動かしてマッサージを行う際に、液体５０の移動を抑制できる。よって、マッサージ容器１００と液体５０とを含む液体詰めマッサージ容器２００全体の動きの一体性を高めることができ、マッサージ動作を安定的に楽に行うことができる。
特に、上記のように複数の突起部２０の突出方向が放射状となっている場合、液体５０が移動しようとする際に、液体５０の移動方向側に位置する突起部２０の内面から、液体５０が突起部２０の内面に対する面直方向の抵抗を受けるようにできるため、液体５０の移動をより一層好適に抑制できる。このため、マッサージをより楽に行うことができる。
【００３２】
容器本体１０の全体がブロー成形などにより一体成形されている。
ここで、２０℃において、容器本体１０の第１主面部１４の中心部を容器本体１０の内方に向けて２０ｍｍ／分の速度で１０ｍｍ押し込むために必要な力（１０ｍｍ押し込んだ時の応力）の範囲は、１０Ｎ以上１００Ｎ以下であることが好ましく、容器本体１０から内容物（液体５０）を容易に吐出できるようにする観点からは、１５Ｎ以上７０Ｎ以下であることがより好ましい。
【００３３】
ここで、突起部２０の肉厚（以下、第１肉厚）と、大径部１３における突起部２０以外の部分の肉厚（以下、第２肉厚）と、小径部１２の肉厚（以下、第３肉厚）と、の関係の例について説明する。
例えば、第１肉厚は、第２肉厚よりも薄い。この場合、突起部２０の剛性を適度に抑制でき、突起部２０によるマッサージを適度な強さで行うことができる。
第１肉厚は、第２肉厚よりも厚くてもよい。この場合、突起部２０の十分な剛性が得られ、突起部２０によるマッサージをより強く行うことができる。
第１肉厚と第２肉厚とは互いに等しくてもよい。この場合、大径部１３の全体に亘り均質な剛性を実現できる。
例えば、第２肉厚は第３肉厚よりも薄い。この場合、手で把持される小径部１２の剛性を十分に確保できる一方で、大径部１３における突起部２０以外の部分の剛性を適度に抑制できるため、突起部２０によるマッサージを適度な強さで行うことができる。また、大径部１３の良好なスクイズ性を実現でき、容器本体１０からの液体５０の吐出を軽い力で行うことができる。
第２肉厚は、第３肉厚よりも厚くてもよい。この場合、手で把持される小径部１２の剛性を適度に抑制できて小径部１２のしなりを実現できるため、スナップを効かせて突起部２０で打突を行うことができる。また、大径部１３における突起部２０以外の部分の十分な剛性が得られ、突起部２０によるマッサージをより強く行うことができる。
第２肉厚と第３肉厚とは互いに等しくてもよい。この場合、小径部１２から大径部１３に亘り均質な剛性を実現できる。
【００３４】
図３に示すように、キャップ部３０は、液体５０を吐出可能な吐出口３２を有していて口頸部１１に装着される装着部３１と、装着部３１に対して開閉可能にヒンジ部３４（図２、図４（ａ））を介して連結されていて閉状態では吐出口３２を閉塞するヒンジキャップ部３３と、を備えている。
装着部３１は、一端部が閉塞された円筒状に形成されている。装着部３１の内周面には、ねじ山が形成されており、装着部３１は、口頸部１１と螺合する雌ねじ形状に形成されている。
装着部３１において閉塞された一端部に、吐出口３２が形成されている。
ヒンジキャップ部３３が閉じた状態では、ヒンジキャップ部３３によって吐出口３２が閉塞される。ヒンジキャップ部３３が開いた状態では、吐出口３２が外部に開放し、容器本体１０内の液体５０を、吐出口３２を介して吐出可能となる。
ヒンジキャップ部３３におけるヒンジ部３４側とは反対側の端部には、ヒンジキャップ部３３を開く際に指が掛けられる指掛け部３５が形成されている。
ここで、マッサージ容器１００を用いたマッサージの際に使用者が把持可能な把持部４０が、小径部１２とキャップ部３０とを含んで構成されている。
そして、ヒンジ部３４の軸方向が上記第２方向に延在している。つまり、指掛け部３５が、ヒンジキャップ部３３において上記第１方向における一端部に位置している。本実施形態の場合、指掛け部３５がヒンジキャップ部３３の前端に位置している。
このため、例えば、図６に示すように第２側部１７に形成された突起部２０を皮膚に当てやすいように手７０で把持部４０（小径部１２及びキャップ部３０）を把持した状態で、自ずと手７０が把持部４０において指掛け部３５を避けた部位を把持するようにできる。
よって、マッサージ容器１００を用いたマッサージの際に手７０が把持部４０からずれても、ヒンジキャップ部３３が開いてしまうことを抑制できる。
なお、図６の向きとは逆に、第１側部１６に形成された突起部２０を皮膚に当てやすいように手７０で把持部４０を把持した状態でも、指掛け部３５には指先が掛かった状態とはなりにくいため、やはり、マッサージ容器１００を用いたマッサージの際に手７０が把持部４０からずれても、ヒンジキャップ部３３が開いてしまうことを抑制できる。
【００３５】
本実施形態の場合、口頸部１１は小径部１２よりも小径であり、キャップ部３０の外径が小径部１２の外径と同等に設定されている。
より詳細には、例えば、図１及び図２に示すように、キャップ部３０が小径部１２よりも若干小径に形成されている。これにより、例えば図６に示すように、中指よりも短い薬指及び小指によって、キャップ部３０をしっかりと把持することができる。
【００３６】
口頸部１１の軸方向におけるマッサージ容器１００の寸法、すなわちマッサージ容器１００の高さ寸法は、特に限定されないが、例えば、９０ｍｍ以上４００ｍｍ以下とすることができ、好ましくは、１５０ｍｍ以上２００ｍｍ以下である。
マッサージ容器１００の高さ寸法が１５０ｍｍ以上であることにより、使用者が自らマッサージ容器１００を用いて背中のマッサージを行うことも容易となる。
口頸部１１の軸方向における大径部１３の寸法は、特に限定されないが、５０ｍｍ以上２００ｍｍ以下とすることができ、好ましくは、７０ｍｍ以上１５０ｍｍ以下である。
口頸部１１の軸方向における把持部４０の寸法は、特に限定されないが、４０ｍｍ以上２００ｍｍ以下とすることができ、好ましくは、６０ｍｍ以上１００ｍｍ以下である。
口頸部１１の軸方向における大径部１３の寸法は、口頸部１１の軸方向における把持部４０の寸法以上であることが好ましい。
【００３７】
把持部４０の外径は、把持部４０の握りやすさの観点から、２０ｍｍ以上５０ｍｍ以下であることが好ましく、２５ｍｍ以上４５ｍｍ以下であることがより好ましい。典型的には、小径部１２の最小外径を３５ｍｍ程度に設定することができ、突条１９の形成箇所における小径部１２の外径を３８ｍｍ程度に設定することができる。
把持部４０の周長は、把持部４０の握りやすさの観点から、６０ｍｍ以上１６０ｍｍ以下であることが好ましく、８０ｍｍ以上１４０ｍｍ以下であることがより好ましい。典型的には、小径部１２の最小周長を１１０ｍｍ程度に設定することができ、突条１９の形成箇所における小径部１２の周長を１２０ｍｍ程度に設定することができる。
例えば、マッサージ容器１００において小径部１２を含む連続した部分であって、周長が１６０ｍｍ以下の部分を、把持部４０とすることができる。
一方、容器本体１０において、小径部１２を基準として口頸部１１側とは反対側の部分を大径部１３とすることができる。
【００３８】
容器本体１０に液体５０が貯留されていることによって、マッサージ容器１００は液体５０とともに液体詰めマッサージ容器２００を構成している。
本実施形態の場合、液体５０は、マッサージ剤である。マッサージ剤は、感覚剤を含有している。
感覚剤としては、例えば、特開２０１２−１５３６７５号公報に記載の温感剤又は冷感剤の少なくとも一方を含有するものを用いることができ、好ましくは、特開２０１２−１５３６７５号公報に記載の皮膚化粧料すなわち上記温感剤と上記冷感剤との双方を含有していて皮膚への温感と冷感とを繰り返して与えることが可能なものを用いることができる。
マッサージ剤の、希釈前の２５℃での粘度は、例えば、５００ｍＰａ・ｓ以上３０００００ｍＰａ・ｓ以下である。マッサージ剤を水により２倍に希釈したときには、例えば、２５℃でのマッサージ剤の粘度が低下して５０ｍＰａ・ｓ以上１５０００ｍＰａ・ｓ以下となる。
【００３９】
このように、本実施形態に係る液体詰めマッサージ容器２００は、本実施形態に係るマッサージ容器１００と、容器本体１０に貯留されている液体５０と、を備え、液体５０は、マッサージ剤であり、マッサージ剤は、感覚剤を含有し、希釈前の２５℃での粘度が５００ｍＰａ・ｓ以上３０００００ｍＰａ・ｓ以下であり、水により２倍に希釈したときには２５℃での粘度が低下して５０ｍＰａ・ｓ以上１５０００ｍＰａ・ｓ以下となる。
容器本体１０に貯留されているマッサージ剤の希釈前の２５℃での粘度が５００ｍＰａ・ｓ以上の高粘度であることによって、マッサージ容器１００を用いてマッサージを行う際に、容器本体１０内における液体５０の移動を抑制できるため、マッサージ容器１００と液体５０とを含む液体詰めマッサージ容器２００全体の動きの一体性を高めることができ、マッサージ動作を安定的に楽に行うことができる。
【００４０】
液体詰めマッサージ容器２００を用いたマッサージは、液体詰めマッサージ容器２００から吐出した液体５０を手にとってマッサージを行いたい部位に塗布した後、更に、マッサージ容器１００の外面で液体５０を皮膚の表面に塗り伸ばしてから行うことができる。マッサージ剤を用いてマッサージを行うことによって、マッサージ容器１００がスムーズに皮膚に対して滑動できるため、皮膚に対する過度の刺激を抑制しつつ、マッサージを行うことができる。また、マッサージ剤が感覚剤を含有していることにより、皮膚に温感や冷感を付与しつつマッサージを行うことができ、マッサージの効果を高めることが可能である。
マッサージ容器１００の外面で液体５０を皮膚の表面に塗り伸ばす際には、突起部２０に液体５０を引っ掛けて容易にむら無く塗り伸ばすことができる。
また、マッサージ容器１００を用いてマッサージ剤を塗り伸ばすことにより、背中など手が届きにくい部位にも楽にマッサージ剤を塗り伸ばすことができる。
【００４１】
マッサージ剤の比重は１．１以上であることが好ましく、１．１５以上であることがより好ましく、１．１８以上であることが更に好ましい。
容器本体１０に貯留されているマッサージ剤の比重が１．１以上であることにより、マッサージ容器１００の重量を十分に確保できることから、各種の方法によるマッサージを効果的に行うことができる。特に、叩打法などによるマッサージの際には、十分な運動エネルギーを皮膚に与えることできる。また、軽擦法、強擦法、圧迫法などによるマッサージを、マッサージ容器１００の重みにより楽に行うことができる。
【００４２】
ただし、本発明において、液体５０は、マッサージ剤に限定されない。液体５０は、飲料、食用油又は液状サプリメントなどの飲用ないしは食用の液体や、スキンケア剤や、シャンプー、リンス又はコンディショナーなどのヘアケア剤や、住居用洗剤などの洗剤であってもよい。
【００４３】
以上のような第１実施形態に係るマッサージ容器１００によれば、第２方向において対向する大径部１３の一対の側部（第１側部１６、第２側部１７）のうち少なくとも一方に、突出高さが１ｍｍ以上３０ｍｍ以下の突起部２０が形成されている。このため、使用者が小径部１２を把持するなどして、各種のマッサージを行うことにより、皮膚に付与される力を狭い範囲に集中させることができるとともに、突起部２０から効率的に皮膚に力を伝達することができる。
よって、マッサージをより容易且つ効率的に行うことが可能である。
【００４４】
以下、上記の実施形態の変形例を説明する。
【００４５】
＜変形例１＞
図７は、突起部２０の形状の変形例を示している。図７に示す突起部２０は、裾の部分がなだらかに立ち上がっている。この場合も、立ち上がり位置２３は、大径部１３の外面のうち突起部２０とそれ以外の部分との境界に生じた変曲点であり、突起部２０の突出高さＴは、２つの立ち上がり位置２３を結ぶ直線Ｌ１から頂点２４までの距離である。
【００４６】
〔第２実施形態〕
次に、図８及び図９を用いて第２実施形態に係るマッサージ容器１００について説明する。
本実施形態に係るマッサージ容器１００は、以下に説明する点で、上記の第１実施形態に係るマッサージ容器１００と相違しており、その他の点では、上記の第１実施形態に係るマッサージ容器１００と同様に構成されている。
【００４７】
本実施形態の場合も、大径部１３の一対の側部（第１側部１６、第２側部１７）の双方に突起部が形成されている。すなわち、第１側部１６には突起部２０が形成されており、第２側部１７には突起部２２が形成されている。
そして、一対の側部のうち一方の側部（第１側部１６）に形成されている突起部２０の形状と、他方の側部（第２側部１７）に形成されている突起部２２の形状と、が互いに異なっている。
例えば、突起部２０は、第１実施形態と同様に球の一部分を切り取った形状であるのに対し、突起部２２は、図９に示すように、第１方向に延在するリブ状に形成されている。なお、第２側部１７には高さ違い（例えば上下に等間隔）に複数（例えば５つ）の突起部２２が形成されている。
【００４８】
このように一方の側部（第１側部１６）に形成されている突起部２０の形状と、他方の側部（第２側部１７）に形成されている突起部２２の形状と、が互いに異なっていることにより、突起部２０を用いたマッサージと、突起部２２を用いたマッサージとで、異なる刺激を皮膚に与えることができる。
よって、マッサージする部位や使用者の好みなどに応じて、突起部２０又は突起部２２のいずれかを選択的に皮膚に当ててマッサージを行うことができる。
【００４９】
また、突起部２０と突起部２２とでは、突出高さが互いに異なっている。すなわち、突起部２０の突出高さの方が、突起部２２の突出高さよりも大きい。このため、突起部２０を用いてマッサージを行う場合の方が、突起部２２を用いてマッサージを行う場合よりも、強い刺激を皮膚に与えることができる。
【００５０】
〔第３実施形態〕
次に、図１０を用いて第３実施形態に係るマッサージ容器１００について説明する。
本実施形態に係るマッサージ容器１００は、以下に説明する点で、上記の第１実施形態又は第２実施形態に係るマッサージ容器１００と相違しており、その他の点では、上記の第１実施形態又は第２実施形態に係るマッサージ容器１００と同様に構成されている。
【００５１】
本実施形態の場合も、マッサージ容器１００を用いたマッサージの際に使用者が把持可能な把持部４０が、少なくとも小径部１２を含んで構成されている。
そして、把持部４０の外面には、把持の仕方を示す標示部６０が付されている。
【００５２】
一例として、標示部６０は、以下に説明する指掛け位置表示６１とリブ６２とを備えて構成されている。
指掛け位置表示６１は、把持部４０の外面に印刷などにより付された模様であり、把持部４０を把持する指を模している。このため、使用者は、指掛け位置表示６１に指が重なるようにして把持部４０を把持することによって、適切に把持部４０を把持することができる。
リブ６２は、把持部４０を把持した際に隣り合う指どうしの隙間に沿って延在する位置に形成されている。リブ６２は１本以上であればよく、２本以上であることが好ましい。本実施形態の場合、３本のリブ６２が把持部４０に形成されており、各リブ６２が、人差し指と中指との間、中指と薬指との間、及び、薬指と小指との間にそれぞれ位置しやすいようになっている。このため、使用者は、各リブ６２が指の間に収まるようにして把持部４０を把持することによって、適切に把持部４０を把持することができる。
【００５３】
なお、本発明は、この例に限らず、標示部６０は、指掛け位置表示６１又はリブ６２の一方のみを備えていてもよい。
【００５４】
本発明は上述の各実施形態及び変形例に限定されるものではなく、本発明の目的が達成される限りにおける種々の変形、改良等の態様も含む。
例えば、上記においては、マッサージ容器１００が自立容器である例を説明したが、マッサージ容器１００は自立不能で横倒しで載置されるものであってもよい。
【符号の説明】
【００５５】
１０  容器本体
１１  口頸部
１１ａ  開口
１２  小径部
１３  大径部
１４  第１主面部
１５  第２主面部
１６  第１側部
１７  第２側部
１８  底部
１９  突条
２０  突起部
２１  凹部
２２  突起部
２３  立ち上がり位置
２４  頂点
３０  キャップ部
３１  装着部
３２  吐出口
３３  ヒンジキャップ部
３４  ヒンジ部
３５  指掛け部
４０  把持部
５０  液体
６０  標示部
６１  指掛け位置表示
６２  リブ
７０  手
１００  マッサージ容器
２００  液体詰めマッサージ容器
【図１】
2019030355.tif 000003
【図２】
2019030355.tif 000004
【図３】
2019030355.tif 000005
【図４】
2019030355.tif 000006
【図５】
2019030355.tif 000007
【図６】
2019030355.tif 000008
【図７】
2019030355.tif 000009
【図８】
2019030355.tif 000010
【図９】
2019030355.tif 000011
【図１０】
2019030355.tif 000012